(57)【要約】【課題】フォーカス駆動部をレンズ鏡筒の外側に配置し、ズーム駆動を光軸方向一定位置で回転する駆動筒で行い、光学ファインダをズーム駆動と連動して駆動することを薄型化及び小型化を達成しながら実現可能としたレンズ鏡筒を提供する。【解決手段】レンズ鏡筒は、光学ファインダ部１３、１群鏡筒３１、２群鏡筒３２、３群レンズホルダ４３、駆動環４６を備える。駆動環４６は、光学ファインダ部１３の中間レンズを光軸方向において進退させるカム溝４６ｂ、モータ６５の駆動力を駆動環４６に伝達するギア列６７に噛み合うギア部４６ａ、３群レンズホルダ４３の進退範囲に相当する切り欠き部４６ｃを有する。駆動環４６の切り欠き部４６ｃとギア部４６ａを、駆動環４６の円周方向において重複して配置する。【選択図】図４
2012137617.tif 000002
【特許請求の範囲】
【請求項１】
焦点距離が変倍可能な撮影光学系と、前記撮影光学系と連動して焦点距離が変倍する光学ファインダとを備えたレンズ鏡筒であって、
前記撮影光学系の光軸方向において一定位置で回転する駆動筒と、
前記駆動筒の回転に従動して前記撮影光学系を光軸方向に移動させる変倍鏡筒と、
光軸方向に進退が可能に構成され、前記撮影光学系が有する焦点調節用の光学素子を保持する保持枠と、
前記撮影光学系の変倍動作を行う駆動源の駆動力を前記駆動筒に伝達する伝達ギアと、を備え、
前記駆動筒は、外周面に設けられ前記光学ファインダが有する光学素子を光軸方向において進退させるカム溝と、外周面に設けられ前記伝達ギアに噛み合うギア部と、前記保持枠を進退させるためのスペースとなる切り欠き部と、を備え、
前記切り欠き部と前記ギア部を、前記駆動筒の円周方向において重複して配置したことを特徴とするレンズ鏡筒。
【請求項２】
前記切り欠き部は、前記撮影光学系を撮影可能な位置に配置した使用状態において、前記保持枠を進退させるためのスペースとなることを特徴とする請求項１に記載のレンズ鏡筒。
【請求項３】
前記駆動筒は、複数の前記カム溝を備え、
複数の前記カム溝のうち一部のカム溝と前記切り欠き部を、前記駆動筒の円周方向において重複して配置したことを特徴とする請求項１に記載のレンズ鏡筒。
【発明の詳細な説明】
【技術分野】
【０００１】
本発明は、光学ファインダを有する撮影装置に搭載されるレンズ鏡筒に関する。
【背景技術】
【０００２】
従来、デジタルカメラ等の撮像装置に搭載されるレンズ鏡筒において、光学ファインダをレンズ鏡筒のズーム動作に機械的に連動してズーム動作させる機構が各種提案されている。
【０００３】
光学ファインダのズーム動作に関しては次の技術が提案されている（例えば、特許文献１参照）。特許文献１では、ズーム動作を行う駆動筒１８の外周部にカム溝１８ｂ、１８ｃ、１８ｄを設け、光学ファインダのレンズに一体的にカムフォロワ２１ｃ、２２ｃ、２３ｃを構成し、カムフォロワをカム溝に係合させることでレンズを移動させる。これにより、光学ファインダのレンズは所望の位置に配置される。
【０００４】
特許文献１の構成によれば、駆動筒の外周部にカム溝を設けることで光学ファインダ駆動用のカム部材が不要となり、構成を簡易化できる効果がある。また、駆動筒のズーム駆動に連動して回転移動するカム筒の回転角度が比較的大きくとれるという利点が一般的に知られている。
【０００５】
他方、光軸上のフォーカスレンズを保持するレンズホルダに関する技術が提案されている（例えば、特許文献２参照）。特許文献２では、フォーカスレンズの駆動モータをレンズ鏡筒の外側に配置し、レンズホルダからレンズ鏡筒の外側まで一体的に延出した腕部を駆動モータにより駆動する。駆動モータの回転軸が雄ネジとなり、雌ネジ部を有するナット部材を進退させ、ナット部材がレンズホルダを進退させる。
【０００６】
特許文献２の構成によれば、駆動モータの出力が直接的にレンズホルダに伝達されるため、効率よく駆動できる効果がある。また、駆動モータをレンズ鏡筒の外側に配置することで、レンズ鏡筒内部の部品配置に自由度が増す効果がある（特許文献２参照）。
【先行技術文献】
【特許文献】
【０００７】
【特許文献１】特開２００８−０７０４５３号公報
【特許文献２】特開２００７−１１４５３０号公報
【発明の概要】
【発明が解決しようとする課題】
【０００８】
上記の特許文献１に開示されたレンズ鏡筒においては、特許文献２に開示されたようにフォーカス駆動部をレンズ鏡筒の外側に配置するための構成が示唆されていない。
【０００９】
また、上記の特許文献２に開示されたフォーカスレンズを保持するレンズホルダは、光軸方向に進退するが、ズーム駆動を駆動筒によって実現しようとすると、駆動筒は光軸中心に回転するが光軸方向は常に一定位置にある。そのため、そのままでは駆動筒がレンズホルダの腕部と干渉してしまうという問題がある。
【００１０】
駆動筒には、光学ファインダのレンズを駆動するためのカム溝の他に、ズーム駆動伝達ギア、シャッタユニットへ給電するためのフレキシブルプリント基板（以後、ＦＰＣ）が通過する貫通溝などが配設されている。そのため、更に駆動筒をレンズホルダの進退動作を避ける形状にすることは困難であるという問題がある。
【００１１】
上記問題点から、レンズ鏡筒の光軸方向寸法や形状を大きくすることなく、フォーカス駆動部をレンズ鏡筒外側に配置可能とし、光学ファインダを駆動筒のズーム駆動と連動して駆動可能とするレンズ鏡筒の実現が要望されている。
【００１２】
本発明の目的は、フォーカス駆動部をレンズ鏡筒の外側に配置し、ズーム駆動を光軸方向一定位置で回転する駆動筒で行い、光学ファインダをズーム駆動と連動して駆動することを薄型化及び小型化を達成しながら実現可能としたレンズ鏡筒を提供することにある。
【課題を解決するための手段】
【００１３】
上記目的を達成するために、本発明は、焦点距離が変倍可能な撮影光学系と、前記撮影光学系と連動して焦点距離が変倍する光学ファインダとを備えたレンズ鏡筒であって、前記撮影光学系の光軸方向において一定位置で回転する駆動筒と、前記駆動筒の回転に従動して前記撮影光学系を光軸方向に移動させる変倍鏡筒と、光軸方向に進退が可能に構成され、前記撮影光学系が有する焦点調節用の光学素子を保持する保持枠と、前記撮影光学系の変倍動作を行う駆動源の駆動力を前記駆動筒に伝達する伝達ギアと、を備え、前記駆動筒は、外周面に設けられ前記光学ファインダが有する光学素子を光軸方向において進退させるカム溝と、外周面に設けられ前記伝達ギアに噛み合うギア部と、前記保持枠を進退させるためのスペースとなる切り欠き部と、を備え、前記切り欠き部と前記ギア部を、前記駆動筒の円周方向において重複して配置したことを特徴とする。
【発明の効果】
【００１４】
本発明によれば、駆動筒の外周面に、光学ファインダの光学素子を進退させるカム溝と、駆動力を駆動筒に伝達する伝達ギアに噛み合うギア部とを設ける。また、駆動筒に切り欠き部を設ける。また、切り欠き部とギア部を駆動筒の円周方向において重複して配置する。これにより、フォーカス駆動部をレンズ鏡筒の外側に配置し、ズーム駆動を光軸方向一定位置で回転する駆動筒で行い、光学ファインダをズーム駆動と連動して駆動することを薄型化及び小型化を達成しながら実現したレンズ鏡筒を提供できる。
【図面の簡単な説明】
【００１５】
【図１】本発明の実施の形態に係る撮像装置の構成を示す正面図である。
【図２】レンズ鏡筒が広角端位置にある場合の構成を示す中央断面図である。
【図３】レンズ鏡筒が沈胴位置にある場合の構成を示す中央断面図である。
【図４】レンズ鏡筒が沈胴位置にある場合の駆動環、フォーカス駆動部、光学ファインダ部、ズーム駆動部の位置関係を示す斜視図である。
【図５】レンズ鏡筒の光学ファインダ部の構成を示す分解斜視図である。
【図６】レンズ鏡筒が広角端位置にある場合の駆動環、フォーカス駆動部、光学ファインダ部、ズーム駆動部の位置関係を示す斜視図である。
【図７】レンズ鏡筒が沈胴位置にある場合の駆動環、フォーカス駆動部、光学ファインダ部、ズーム駆動部の位置関係を示す正面図である。
【図８】レンズ鏡筒の駆動環を図７の０°を境にして切り開いた場合の構成を示す外面展開図である。
【発明を実施するための形態】
【００１６】
以下、本発明の実施の形態について図面を参照しながら説明する。
【００１７】
図１は、本発明の実施の形態に係る撮像装置の内部の構成を示す正面図である。
【００１８】
図１において、撮像装置は、電池ボックス２、ストロボ発光部３、コンデンサ４、三脚座５、レンズ鏡筒１０、ズーム駆動部１１、フォーカス駆動部１２、光学ファインダ部１３を備えたデジタルカメラとして構成されている。なお、符号１で示す破線は撮像装置本体の外形を表している。
【００１９】
電池ボックス２は、電池（不図示）を保持する。電池ボックス２と一体的に三脚座５が構成されている。コンデンサ４は、ストロボ発光部３に給電を行う。レンズ鏡筒１０は、撮像装置本体に装着され被写体の画像を入力する。ズーム駆動部１１は、レンズ鏡筒１０のズーム動作を行う。フォーカス駆動部１２は、レンズ鏡筒１０のフォーカシング動作を行う。光学ファインダ部１３は、被写体の確認等に用いる。
【００２０】
光学ファインダ部１３を有する撮像装置においては、図１に示したレイアウトが使用勝手上から望ましいと考えられるが、その理由を以下に説明する。なお、以下の説明において上下左右の向きは撮像装置を正面から見た状態（図１の状態）で示すこととする。
【００２１】
まず、撮像装置における光学ファインダ部の有無に関わらず、電池ボックス２は、重量が大きいのでグリップとなる撮像装置の左側に配置されることが望ましい。ストロボ発光部３は、使用者が撮像装置を保持する時にグリップする指や反対側に添える指によって不用意に隠されないように、撮像装置の右側上部が適している。
【００２２】
コンデンサ４は、ストロボ発光部３に近接している必要があり、ストロボ発光部３の左側には光学ファインダ部１３が配置されるため、ストロボ発光部３の下側が適している。三脚の雲台に撮像装置を載置して雲台を左右方向に回転した時に、撮像装置のレンズ光軸が雲台の回転中心上にあると自然な使用感が得られる。そこで、三脚座５は、撮像装置のレンズ光軸の直下近傍に配置するのが一般的である。
【００２３】
次に、光学ファインダ部１３は、撮影レンズとの視差を少なくするためにレンズ鏡筒上部の左右どちらかの脇に配置すべきであるが、右上はストロボ発光部３を配置しているので左上が適している。ここで万一使用者が撮像装置をグリップする指が光学ファインダ部１３を隠したとしても、光学ファインダ部１３を使用しての撮影中は直ちに認識できる。また、液晶ディスプレイ（ＬＣＤ）（不図示）を使用して撮影していれば撮影に何ら支障を来たすものではない。
【００２４】
ところが、使用者が指でストロボ発光部３を隠してしまうと、撮影のためにストロボ発光部３で発光したときに適正な露出が得られないので、ストロボ発光部３と光学ファインダ部１３の配置は上記の配置が適していると言える。
【００２５】
このように、撮像装置の電池ボックス２、三脚座５、ストロボ発光部３、光学ファインダ部１３は、撮像装置の使用勝手を考慮して理想的な配置が決まる。
【００２６】
次に、レンズ鏡筒のズーム動作を行うズーム駆動部１１は、上記のように各部を配分して残った撮像装置の右下を利用して配置することとなる。また、フォーカス駆動部１２は、比較的投影面積は小さいので、レンズ鏡筒１０とストロボ発光部３とコンデンサ４で囲まれた略三角形の領域に配置することが可能である。このようにして撮像装置の使用勝手を考慮したレンズ鏡筒の構造が決定される。
【００２７】
次に、本実施の形態のレンズ鏡筒の構成を図２を用いて説明する。
【００２８】
図２は、レンズ鏡筒の構成を示す中央断面図である。
【００２９】
図２において、レンズ鏡筒をレンズの光軸１４を通る断面で表している。レンズ鏡筒は、１群レンズ２１、２群レンズ２２、３群レンズ２３、撮像素子２４、１群鏡筒３１、２群鏡筒３２、３群レンズホルダ４３、移動カム環４５、駆動環４６、固定筒４７、直進筒４８、フレキシブルプリント基板（以降、ＦＰＣ）４９を備えている。
【００３０】
本実施の形態の撮影光学系は、１群レンズ２１と２群レンズ２２の配置によって焦点距離が変化し（焦点距離が変倍可能）、３群レンズ２３の配置によって焦点が変化する撮影光学系として構成されている。
【００３１】
１群鏡筒３１（変倍鏡筒）は、１群レンズ２１とそれを保持するレンズホルダ４１を備えると共に、説明を省略するが１群レンズ２１を保護するレンズバリアを備えている。２群鏡筒３２（変倍鏡筒）は、２群レンズ２２とそれを保持する２群レンズホルダ４２を備えている。２群レンズホルダ４２は、説明を省略するがシャッタ機構と絞り機構を備えている。
【００３２】
１群鏡筒３１と２群鏡筒３２の外周部には、それぞれ、テーパを有するカムフォロワピン（不図示）が設けられている。また、移動カム環４５の内周部には、断面がテーパ形状のカム溝４５ａ、４５ｂが設けられている。１群鏡筒３１と２群鏡筒３２は、それぞれ、カムフォロワピンが移動カム環４５のカム溝４５ａ、４５ｂにカム嵌合することで、移動カム環４５に保持される。
【００３３】
直進筒４８は、１群鏡筒３１と２群鏡筒３２の回転を規制する部材であり、移動カム環４５に回転可能に保持されている。また、直進筒４８は、固定筒４７の内周部に設けられている直進溝（不図示）によって回転が規制されている。
【００３４】
移動カム環４５の外周部には、テーパを有するカムフォロワピン４５ｄが設けられている。また、固定筒４７の内周部には、断面がテーパ形状のカム溝４７ａが設けられている。移動カム環４５は、カムフォロワピン４５ｄが固定筒４７のカム溝４７ａにカム嵌合することで、固定筒４７に保持される。
【００３５】
駆動環４６（駆動筒）は、移動カム環４５の外周部に設けられている駆動ピン４５ｃを介して駆動環４６の回転を移動カム環４５へ伝達する部材である。駆動環４６は、固定筒４７の外周部に摺動回転可能に保持されており、光軸周りの回転は自由であるが、光軸方向への移動は固定筒４７によって規制されている。
【００３６】
ベース４４は、固定筒４７の基台となる部材であり、撮像素子２４と光学ファインダ部１３（図１参照）を保持している。３群レンズホルダ４３は、焦点調節用の３群レンズ２３（光学素子）を保持する保持枠であり、詳細な説明は後述する。ＦＰＣ４９は、２群レンズホルダ４２のシャッタ機構と絞り機構に電力を供給する。
【００３７】
上述した光学ファインダ部１３は、焦点距離が変倍可能な撮影光学系（１群レンズ２１、２群レンズ２２、３群レンズ２３）と連動して焦点距離が変倍する。また、駆動環４６は、撮影光学系の光軸方向において一定位置で回転する。また、１群鏡筒３１、２群鏡筒３２、移動カム環４５、固定筒４７、直進筒４８（以上、変倍鏡筒）は、駆動環４６の回転に従動して撮影光学系を光軸方向に移動させる。
【００３８】
次に、上記の構成を有するレンズ鏡筒における動作を説明する。
【００３９】
ズーム駆動部１１によって駆動環４６が回転されると、駆動環４６の内周部の直進溝４６ｅが移動カム環４５の駆動ピン４５ｃと嵌合しているため、移動カム環４５も回転する。１群鏡筒３１と２群鏡筒３２は、直進筒４８により回転が規制されているので、移動カム環４５が回転すると移動カム環４５の内周部のカム溝４５ａ、４５ｂに応じて光軸方向の位置が変化する。こうして１群レンズ２１と２群レンズ２２を規定の位置に配置することが可能になる。
【００４０】
図２は、レンズ鏡筒が繰り出し状態となり、１群レンズ２１、２群レンズ２２、３群レンズ２３を撮影可能な規定の位置に配置した使用状態の中で、焦点距離が最も広角である広角端位置にある場合を示している。
【００４１】
また、図３は、撮像装置の電源を切断している時にレンズ鏡筒が１群レンズ２１、２群レンズ２２、３群レンズ２３を繰り込んで収納した、いわゆる沈胴状態（沈胴位置にある場合）を示している。図３の沈胴状態にすることでレンズ鏡筒は撮像装置本体から突出しなくなるため、持ち運びが容易になる。
【００４２】
次に、駆動環４６の動作に関係する各構成要素について図４を用いて説明する。
【００４３】
図４は、レンズ鏡筒が沈胴位置にある場合の駆動環、フォーカス駆動部、光学ファインダ部、ズーム駆動部の位置関係を示す斜視図である。
【００４４】
図４において、駆動環４６、フォーカス駆動部１２、光学ファインダ部１３、ズーム駆動部１１の位置関係を詳細に説明するために最低限必要な構成要素のみを図示しており、各部材を保持する部材は省略してある。
【００４５】
駆動環４６の外周面には、ギア部４６ａが一体的に設けられている。駆動環４６のギア部４６ａは、後述のギア列６７のうち駆動環４６に対向するギアと噛み合う。モータ６５は、ズーム駆動部１１の駆動源であり、撮影光学系（１群レンズ２１、２群レンズ２２、３群レンズ２３）の変倍動作を行う。
【００４６】
ウォームギア６６（伝達ギア）は、モータ６５の出力軸に直結されており、羽根形状部（不図示）を有する。ギア列６７（伝達ギア）は、モータ６５の駆動力によるウォームギア６６の回転を駆動環４６へ伝達する。
【００４７】
フォトインタラプタ６８は、ウォームギア６６の羽根形状部に対応して配置されている。ウォームギア６６の羽根形状部がフォトインタラプタ６８の検出部を横断することで変化する電圧によりモータ６５の回転を検出し、制御回路（不図示）によりモータ６５の回転を制御する。
【００４８】
光学ファインダ部１３は、対物レンズ５１、中間レンズ５２ａ、５２ｂ、５２ｃ、プリズム５３、接眼レンズ５４の各光学素子から構成されている。また、駆動環４６の外周部には、光学ファインダ部１３の中間レンズ５２ａ、５２ｂ、５２ｃを駆動するための複数（本実施の形態では３本）のカム溝４６ｂが設けられている。
【００４９】
光学ファインダ部１３の中間レンズ５２ａ、５２ｂ、５２ｃは、光軸１４に平行なガイド軸５５、５６に嵌合及び摺動が可能なスリーブを有し、ガイド軸５５、５６に沿って移動する。中間レンズ５２ａ、５２ｂ、５２ｃには、それぞれカムフォロワピン（不図示）が一体的に設けられている。
【００５０】
中間レンズ５２ａ、５２ｂ、５２ｃの各カムフォロワピンは、駆動環４６のカム溝４６ｂに嵌合している。駆動環４６が回転すると、中間レンズ５２ａ、５２ｂ、５２ｃは、カムフォロワピンを介して駆動環４６のカム溝４６ｂによってガイド軸５５、５６上を移動（進退）する。これにより、中間レンズ５２ａ、５２ｂ、５２ｃは、規定の位置に配置される。こうして光学ファインダ部１３の焦点距離を設定することとなる。
【００５１】
ここで、図５を用いて光学ファインダ部１３の構成を更に説明する。光学ファインダ部１３のファインダ基台５８には、ガイド軸５５、５６の両端部が保持される。また、ファインダ基台５８には、接眼レンズ５１、対物レンズ５４、プリズム５３が固定される。ファインダカバー５９は、ファインダ基台５８の開口を覆うようにしてファインダ基台５８に固定される。
【００５２】
ファインダカバー５９は、プリズム５３をファインダ基台５８に圧接して保持すると共に、該ファインダカバーのバネ性を有する一部が中間レンズ５２ａ、５２ｂ、５２ｃを押圧することで中間レンズの回転を阻止する。中間レンズ５２ａは、ガイド軸５６に嵌合され、中間レンズ５２ｂ、５２ｃは、ガイド軸５５に嵌合される。２本のガイド軸を使用する理由は、中間レンズ５２ａ、５２ｂ、５２ｃのスリーブ長をできるだけ長く取り、中間レンズの姿勢及び摺動動作の安定を図るためである。
【００５３】
図４に戻り、ガイド軸６２は、レンズの光軸１４と平行に延伸されている。３群レンズホルダ４３には、スリーブ４３ａが一体的に設けられている。３群レンズホルダ４３のスリーブ４３ａは、ガイド軸６２に嵌合されている。これにより、３群レンズホルダ４３は、ガイド軸６２に沿って移動する。ガイド軸６２は、ベース４４（図１参照）に両端部が嵌合され固定されている。
【００５４】
モータ６４は、３群レンズホルダ４３を光軸方向に移動させる駆動源であり、回転軸と一体的に形成されたリードスクリュー６４ａを備えている。モータ６４のリードスクリュー６４ａは、ナット６３と螺合している。ナット６３は、３群レンズホルダ４３上で回転が抑制されているので、モータ６４が回転するとリードスクリュー６４ａのねじによって押し出されたり引き込まれたりして移動する。
【００５５】
３群レンズホルダ４３は、引っ張りばね６１により図示の被写体方向に引っ張られているので、常にナット６３に押しつけられている。引っ張りばね６１の一端部は３群レンズホルダ４３に係止され、他端部はベース４４（図１参照）に係止されている。このような構成により、モータ６４が回転すると３群レンズホルダ４３は光軸方向へ自由に進退することができる。ここで、３群レンズホルダ４３は振れ止め軸（不図示）によってガイド軸６２回りの回転が抑止されている。
【００５６】
このように、３群レンズ２３による焦点調節（以降、フォーカシング）を行うための部材（モータ６４、ガイド軸６２、引っ張りばね６１）をレンズ鏡筒の外部に配置する構成としている。これにより、沈胴状態のレンズ鏡筒の全長にこれらの部材が影響せずに、沈胴状態のレンズ鏡筒の全長を短縮することが可能になっている。なお、引っ張りばね６１、ガイド軸６２、ナット６３、モータ６４が、３群レンズホルダ４３を光軸方向において進退させる駆動機構を構成している。
【００５７】
駆動環４６は、ギア部４６ａ、複数のカム溝４６ｂ、切り欠き部４６ｃを備えると共に、駆動環４６の円周方向に伸びたスリット４６ｄを備えている。駆動環４６のスリット４６ｄは、２群鏡筒３２へ電力を供給するためのＦＰＣ４９をレンズ鏡筒外部の回路基板に接続するために通過させるためのものである。駆動環４６の切り欠き部４６ｃについては後述する。
【００５８】
図４は、上述したようにレンズ鏡筒が収納されたいわゆる沈胴状態を示している。駆動環４６は、固定筒４７（図２参照）の外周側において回転することでレンズ鏡筒を繰り出したり、逆回転することでレンズ鏡筒を繰り込んだりする。本実施の形態のレンズ鏡筒は、図４において駆動環４６が反時計回りに回転すると沈胴状態から繰り出し状態へ移行するように構成されている。
【００５９】
図６は、レンズ鏡筒が広角端位置にある場合の駆動環、フォーカス駆動部、光学ファインダ部、ズーム駆動部の位置関係を示す斜視図である。
【００６０】
図６において、駆動環４６が反時計回りに回転して図２の断面で表した広角端位置になった状態を示している。本実施の形態のレンズ鏡筒は、広角端位置から駆動環４６が更に反時計回りに回転すると焦点距離が望遠端位置のレンズ配置となるように構成されている。つまり、図４の沈胴位置から駆動環４６が反時計回りに回転すると、
沈胴位置→広角端位置→望遠端位置
と移行する。
【００６１】
図７は、レンズ鏡筒が沈胴位置にある場合の駆動環、フォーカス駆動部、光学ファインダ部、ズーム駆動部の位置関係を示す正面図である。
【００６２】
図７において、図４を正面から見た状態を示している。３群レンズホルダ４３は、３群レンズ２３を保持する本体部から腕部４３ｂがレンズ鏡筒外部へ伸びてスリーブ４３ａに繋がっている。このように、３群レンズホルダ４３は駆動環４６と交差する位置関係にある。
【００６３】
レンズ鏡筒が沈胴位置にある場合には、３群レンズホルダ４３が被写体方向とは反対方向に移動し、３群レンズホルダ４３の腕部４３ｂは図４に示す駆動環４６の端面よりも更に被写体とは反対側に位置している。そのため、３群レンズホルダ４３と駆動環４６が干渉することはない。
【００６４】
駆動環４６が反時計回りに回転して図６に示す広角端に位置すると、駆動環４６の切り欠き部４６ｃ（図４参照）は３群レンズホルダ４３の腕部４３ｂの位置に重なる。これにより、３群レンズホルダ４３は、駆動環４６の切り欠き部４６ｃのスペースを介して被写体方向（光軸方向）に移動することが可能となる。
【００６５】
即ち、駆動環４６の切り欠き部４６ｃは、３群レンズホルダ４３を光軸方向に移動可能（進退可能）とするための進退範囲に相当するスペースである。後述するが、駆動環４６の切り欠き部４６ｃは、レンズ鏡筒の広角端位置から望遠端位置までの区間において連続しているので、その区間は同様に３群レンズホルダ４３が光軸方向に移動してフォーカシング動作を行うことができる。
【００６６】
図８は、レンズ鏡筒の駆動環を図７の０°を境にして切り開いた場合の構成を示す外面展開図である。
【００６７】
図８において、図７に示した駆動環４６の円周方向の角度（０°、９０°、１８０°、２７０°）が、外面展開図の水平方向に示した角度に対応しており、図８の上方が被写体方向を示している。外面展開図における各部材の符号は上記説明と重複するため省略する。駆動環４６の切り欠き部４６ｃと３群レンズホルダ４３の位置関係を更に説明する。
【００６８】
４３ｂ（沈胴）、４３ｂ（広角端）、４３ｂ（望遠端）でそれぞれ示す矩形は、レンズ鏡筒がそれぞれ沈胴位置、広角端位置、望遠端位置にある場合の、３群レンズ２３の腕部４３ｂの断面と駆動環４６の相対位置を表している。
【００６９】
４３ｂ（広角端）と４３ｂ（望遠端）は、図８の上下方向にそれぞれ２つの矩形を示しているが、被写体側の矩形（上側の矩形）はフォーカシング動作でレンズ鏡筒を最も繰り出した位置を表している。また、反被写体側の矩形（下側の矩形）は４３ｂ（沈胴）と同じくレンズ鏡筒を最も繰り込んだ位置を表している。
【００７０】
レンズ鏡筒が沈胴位置にある場合（沈胴時）には、４３ｂ（沈胴）のように駆動環４６の端面より反被写体側に３群レンズホルダ４３の腕部４３ｂがある。沈胴時には、３群レンズホルダ４３は被写体方向に移動する必要がないので、駆動環４６を切り欠いておく必要がない。広角端位置から望遠端位置の間では３群レンズホルダ４３はフォーカシングのために被写体方向へ移動する必要があるため、駆動環４６に切り欠き部４６ｃを設けてある。
【００７１】
このように、駆動環４６におけるレンズ鏡筒の沈胴位置から広角端位置までの間に対応する部分は駆動環４６を切り欠く必要がないため、駆動環４６の光軸方向の幅をカム溝４６ｂの配置に用いることができる。
【００７２】
ところで、上述したように撮像装置の使い勝手を重視すると、撮像装置の内部は図１に示したような配置となるが、そのときレンズ鏡筒の内部は図７に示す配置となる。つまり、光軸１４を中心として、左上に光学ファインダ部１３、右上にフォーカス駆動部１２、右下にズーム駆動部１１が配置される。上述したように、駆動環４６は、ギア部４６ａ、カム溝４６ｂ、切り欠き部４６ｃ、スリット４６ｄを備えているが、これらは図８に示したように配置されている。
【００７３】
駆動環４６のカム溝４６ｂと切り欠き部４６ｃは、図４に示したように駆動環４６の円周方向（図８では水平方向）に並んで配置されている。これは、駆動環４６のカム溝４６ｂは駆動環４６の光軸方向に幅広く使用するため、切り欠き部４６ｃと円周方向で重複して配置することができないためである。
【００７４】
また、駆動環４６のギア部４６ａとカム溝４６ｂも、同様に駆動環４６の円周方向に並んで配置されている。これも、駆動環４６のカム溝４６ｂは駆動環４６の光軸方向に幅広く使用するため、ギア部４６ａと円周方向で重複して配置することができないためである。
【００７５】
このように、駆動環４６のカム溝４６ｂとギア部４６ａ、カム溝４６ｂと切り欠き部４６ｃは、それぞれ駆動環４６の円周方向において重複して配置することができない。そのため、撮像装置を大型化しないで図７に示したレンズ鏡筒の配置を成立させるためには、駆動環４６のギア部４６ａと切り欠き部４６ｃを円周方向に重複して配置させることが必要となる。
【００７６】
そこで、本実施の形態では、図８に示すように駆動環４６のギア部４６ａを切り欠き部４６ｃよりも被写体側に配置することにより、ギア部４６ａと切り欠き部４６ｃを駆動環４６の円周方向で重複させている。これにより、図７に示したレンズ鏡筒の配置が可能となっている。
【００７７】
また、図５に示したように、光学ファインダ部１３の３つの中間レンズ５２ａ、５２ｂ、５２ｃは、２本のガイド軸５５、５６により保持されている。ガイド軸に対する中間レンズの嵌合長を長く確保するために、被写体側の中間レンズ５２ａは、他の中間レンズ５２ｂ、５２ｃを保持するガイド軸５５と異なるガイド軸５６に嵌合させ保持している。また、中間レンズ５２ａ、５２ｂ、５２ｃに一体的に構成されたカムフォロワピンの位置も円周方向でずれている。
【００７８】
中間レンズ５２ａのずれ方向を図８の左方向にすることにより、駆動環４６の３本のカム溝４６ｂのうち被写体側のカム溝が左にずれる。そのため、中間レンズ５２ａに対応する駆動環４６のカム溝４６ｂ（被写体側のカム溝）の端部を、駆動環４６の切り欠き部４６ｃと円周方向で重複して配置することができる（図４参照）。これにより、駆動環４６における切り欠き部４６ｃから被写体方向側の外周面のスペースを利用してカム溝４６ｂを効率的に配置することが可能になる。
【００７９】
なお、本実施の形態では、駆動環４６のギア部４６ａを切り欠き部４６ｃに対して被写体方向側に配置したが、切り欠き部４６ｃをギア部４６ａに対して被写体方向側に配置することも可能である。その場合は、３群レンズホルダ４３の腕部４３ｂは駆動環４６の被写体方向側に位置するような構成とすればよい。
【００８０】
以上説明したように、本実施の形態によれば以下の効果を奏する。レンズ鏡筒において、正面から見て光軸１４を中心に左上に光学ファインダ部１３、右上にフォーカス駆動部１２、右下にズーム駆動部１１を配置する。また、駆動環４６のギア部４６ａと切り欠き部４６ｃを駆動環４６の円周方向で重複して配置する。レンズ鏡筒の広角端位置では、駆動環４６は切り欠き部４６ｃが３群レンズホルダ４３の腕部４３ｂの位置に重なるため、３群レンズホルダ４３は切り欠き部４６ｃを介して光軸方向に移動可能となる。
【００８１】
即ち、フォーカス駆動部１２をレンズ鏡筒の外側に配置し、ズーム駆動を光軸方向一定位置で回転する駆動環４６で行い、光学ファインダ部１３をズーム駆動と連動して駆動することを薄型化及び小型化を達成しながら実現したレンズ鏡筒を提供できる。
【符号の説明】
【００８２】
１３  光学ファインダ部
４３  ３群レンズホルダ
４６  駆動環
４６ａ  ギア部
４６ｂ  カム溝
４６ｃ  切り欠き部
【図１】
2012137617.tif 000003
【図２】
2012137617.tif 000004
【図３】
2012137617.tif 000005
【図４】
2012137617.tif 000006
【図５】
2012137617.tif 000007
【図６】
2012137617.tif 000008
【図７】
2012137617.tif 000009
【図８】
2012137617.tif 000010